(57)【要約】【課題】封緘用フラップ付き角底袋をシート状原紙の送給から連続する１ラインによって一貫して短時間で製造でき、封緘用フラップ形成に不要となる部分を１回のカッティングで切除でき、高い製造能率が得られ、高品位の袋が歩留りよく安定的に得られ、操作容易で製造コストも安くなる製造方法を提供する。【解決手段】シート状原紙１３から封緘用フラップ６形成の不要部分を切除する不要部分カッティング工程Ａと、筒状部１５を形成するチュービング工程Ｂと、角底５を形成して袋単位１０ａに切り離す角底形成工程Ｃと、封緘用フラップ６の先部側６ａ内面への接着剤塗布工程Ｄと、接着剤塗布工程Ｄ前後の任意の段階で封緘用フラップ６の基部側６ｂ内面になる位置に剥離剤を塗布する剥離剤塗布工程Ｅと、前記工程後の封緘用フラップ６を半折りして接着剤塗布面７を剥離剤塗布面８に重ね合わせる封緘用フラップ半折り工程Ｆとを連続して行う。【選択図】        図３
2005001730.tif 000002
【特許請求の範囲】
【請求項１】
巻回ロールより連続的に繰り出されるシート状原紙に対し、封緘用フラップ形成のための不要部分の切除を行う不要部分カッティング工程と、この不要部分を切除したシート状原紙に袋単位の筒状部を形成するチュービング工程と、筒状部を形成した袋単位に角底を形成して封緘用フラップの先端縁で切り離す角底形成工程と、角底を形成した袋単位の封緘用フラップの先部側内面に封緘用接着剤を塗布する接着剤塗布工程と、この接着剤塗布工程に至るまでの任意の段階又は該接着剤塗布工程の後で封緘用フラップの基部側内面になる位置に剥離剤を塗布する剥離剤塗布工程と、接着剤塗布及び剥離剤塗布を行った封緘用フラップを半折りして接着剤塗布面を剥離剤塗布面に重ね合わせる封緘用フラップ半折り工程とを連続して行うことを特徴とする封緘用フラップ付き角底袋の製造方法。
【請求項２】
予め所定間隔ごとに剥離剤が塗布されて巻回ロールより連続的に繰り出されるシート状原紙に対し不要部分カッティング工程と、この不要部分を切除したシート状原紙に袋単位の筒状部を形成するチュービング工程と、筒状部を形成した袋単位に角底を形成して封緘用フラップの先端縁で切り離す角底形成工程と、角底を形成した袋単位の封緘用フラップの先部側内面に封緘用接着剤を塗布する接着剤塗布工程と、この接着剤塗布が塗布された封緘用フラップを半折りして接着剤塗布面を剥離剤塗布面に重ね合わせる封緘用フラップ半折り工程とを連続して行うことを特徴とする封緘用フラップ付き角底袋の製造方法。
【請求項３】
巻回ロールより連続的に繰り出されるシート状原紙に対し、封緘用フラップ形成のための不要部分の切除を行う不要部分カッティング工程と、この不要部分を切除したシート状原紙に袋単位の筒状部を形成するチュービング工程と、筒状部を形成した袋単位に角底を形成して封緘用フラップの先端縁で切り離す角底形成工程と、この角底形成工程に至るまでの任意の段階又は該角底形成工程の後で封緘用フラップになる位置の内面に封緘用接着剤の塗布ならびに剥離紙の貼着を行う接着剤塗布−剥離紙貼着工程とを連続して行うことを特徴とする封緘用フラップ付き角底袋の製造方法。
【請求項４】
接着剤塗布−剥離紙貼着工程を不要部分カッティング工程の前にする請求項３記載の封緘用フラップ付き角底袋の製造方法。
【発明の詳細な説明】
【０００１】
【発明の属する技術分野】
この発明は、封緘用フラップ付き角底袋の製造方法に関する。
【０００２】
【従来の技術】
角底袋は、広幅の前後面部及び狭幅の左右側面部と角底とで横断面矩形に形成され、使用前の状態では幅狭の左右両側面部が二つ折りに内側へ折り込まれると共に、角底が表裏一面側へ折り付けられて全体として偏平な折畳み形態になっており、その表側開口縁に封緘用フラップを連設したものがある。そして、このような封緘用フラップ付き角底袋を製造する手段として、従来より、特許文献１と特許文献２及び特許文献３に開示される方法が知られている。
【０００３】
特許文献１の方法は、開口端縁が袋幅方向に一直線に切断された角底袋（生袋）を自動製袋し、その開口側を前にして偏平な折畳み状態で移送しつつ、封緘用フラップ形成部の左右両側部分を耳落としカッターで斜めに切除し、次いで封緘用フラップ形成の不要部となる後面部側の台形部と左右両側面部の前端台形部とを左右方向に沿う直線状のハーフカット刃を有する切捨て用カッターロールで切除し、前面部側の台形部を封緘用フラップとして残すようにしている。そして、前記の原材とする角底袋として、封緘用フラップ形成部の内面に予めライナー（剥離紙）付き感圧接着剤層を設けておく構成も示されている。
【０００４】
特許文献２及び特許文献３の方法は、予め製袋した開口端縁が袋幅方向に一直線に切断された角底袋を、その長さ方向と直角の方向に移送しつつ、封緘用フラップ形成部の封緘用フラップ形成部の左右両側部分を回転ナイフで切除し、次いで前記切除にて分離した袋前壁と袋後壁の一方のみを外側へ曲げ、曲げなかった他方と左右両側面の前端台形部とを回転ナイフで開口端縁と平行に切除し、前記の外側への曲げで切除されなかった部分を封緘用フラップとし、この封緘用フラップの内面に剥離紙で被覆された粘着帯を設けるようにしている。
【０００５】
【特許文献１】
特公平５−７７５０７号公報（特許第１８８８２５１号）
【０００６】
【特許文献２】
特許第３０７１６３６号公報
【０００７】
【特許文献３】
特許第３１３０００４号公報
【０００８】
【発明が解決しようとする課題】
しかしながら、特許文献１の方法は、封緘用フラップ形成の不要部となる後面部側の台形部と左右両側面部の前端台形部とを切捨て用カッターロールで切除する際、前面部側の台形部を残す必要があることに加え、袋の層が左右両側では前後面部の２層と二つ折りに折り込んだ側面部からなる２層との計４層であるのに対し、中央側では前後面部の２層のみであり、もって左右両側と中央側との厚さが異なるため、前記切捨て用カッターロールのハーフカット刃のクリアランス調整が極めて困難であり、左右両側面部の前端台形部の切り残しを生じたり、逆に中央側で封緘用フラップとして残すべき前面部側の台形部まで切り込まれたりして、高品質のものを安定して製造できず、前記クリアランス調整にも熟練と時間を要するという問題があった。また、封緘用フラップ形成のために、この切捨て用カッターロールによる後段の切除と、前段の耳落としカッターによる左右両側部分の斜め切除との２段階のカッティングを行うことから、工数が多くなって製造能率が悪い上に設備コストも高く付くという難点もあった。
【０００９】
一方、前記特許文献２及び３の方法は、原材とする角底袋を常法に準じて自動製袋でのチュービングと角底形成によって製作するにしても、この自動製袋で得られる角底袋はその長さ方向が巻回ロールから繰り出されるシート状原紙の送り方向になるのに対し、封緘用フラップ形成時に送る角底袋の向きが９０度異なるため、角底袋の連続製作ラインと封緘用フラップの連続形成ラインとが別ラインになり、もって封緘用フラップ付き角底袋全体としての製造に時間を要して生産能率が悪く、製造コストも高く付き、また袋の送り方向を転換する装置を介して角底袋の製作ラインと封緘用フラップの形成ラインとを繋ぐ場合には、その介在させる方向転換装置の導入によって設備コストが高く付くという問題があった。更に、前記特特許文献１の方法と同様に、封緘用フラップ形成のために２段階のカッティングを要することによる難点もあった。
【００１０】
この発明は、上述の事情に鑑みて、封緘用フラップ付き角底袋をシート状原紙の送給から連続する１ラインによって一貫して短時間で製造でき、しかも封緘用フラップ形成に不要となる部分を１回のカッティングで切除でき、もって高い製造能率が得られると共に、高品位の袋が歩留りよく安定的に得られ、また操作容易で製造コストも安くなる製造方法を提供することを目的としている。
【００１１】
【課題を解決するための手段】
上記目的を達成するために、請求項１の発明に係る封緘用フラップ付き角底袋の製造方法は、巻回ロールより連続的に繰り出されるシート状原紙に対し、封緘用フラップ形成のための不要部分の切除を行う不要部分カッティング工程と、この不要部分を切除したシート状原紙に袋単位の筒状部を形成するチュービング工程と、筒状部を形成した袋単位に角底を形成して封緘用フラップの先端縁で切り離す角底形成工程と、角底を形成した袋単位の封緘用フラップの先部側内面に封緘用接着剤を塗布する接着剤塗布工程と、この接着剤塗布工程に至るまでの任意の段階又は該接着剤塗布工程の後で封緘用フラップの基部側内面になる位置に剥離剤を塗布する剥離剤塗布工程と、接着剤塗布及び剥離剤塗布を行った封緘用フラップを半折りして接着剤塗布面を剥離剤塗布面に重ね合わせる封緘用フラップ半折り工程とを連続して行うことを特徴としている。
【００１２】
請求項２の発明に係る封緘用フラップ付き角底袋の製造方法は、予め所定間隔ごとに剥離剤が塗布されて巻回ロールより連続的に繰り出されるシート状原紙に対し、不要部分カッティング工程と、この不要部分を切除したシート状原紙に袋単位の筒状部を形成するチュービング工程と、筒状部を形成した袋単位に角底を形成して封緘用フラップの先端縁で切り離す角底形成工程と、角底を形成した袋単位の封緘用フラップの先部側内面に封緘用接着剤を塗布する接着剤塗布工程と、この接着剤塗布が塗布された封緘用フラップを半折りして接着剤塗布面を剥離剤塗布面に重ね合わせる封緘用フラップ半折り工程とを連続して行うことを特徴としている。
【００１３】
また、請求項３の発明に係る封緘用フラップ付き角底袋の製造方法は、巻回ロールより連続的に繰り出されるシート状原紙に対し、封緘用フラップ形成のための不要部分の切除を行う不要部分カッティング工程と、この不要部分を切除したシート状原紙に袋単位の筒状部を形成するチュービング工程と、筒状部を形成した袋単位に角底を形成して封緘用フラップの先端縁で切り離す角底形成工程と、この角底形成工程に至るまでの任意の段階又は該角底形成工程の後で封緘用フラップになる位置の内面に封緘用接着剤の塗布ならびに剥離紙の貼着を行う接着剤塗布−剥離紙貼着工程とを連続して行うことを特徴としている。
【００１４】
これら請求項１及び２の発明の構成では、封緘用フラップ形成のための不要部分の切除をシート状原紙の段階で行うことから、そのカッティングは１回で済む上に原紙全体の厚みをカットする全厚カットでよく、しかも封緘用フラップ付き角底袋を原材料のシート状原紙の送給から連続する１ラインによって一貫して短時間で製造できる。
【００１５】
なお、請求項１及び請求項２の製造方法は、封緘用フラップの接着剤塗布面に剥離紙を貼着しない所謂剥離紙レスの封緘用フラップ付き角底袋の製造に適用するものである。また請求項３の製造方法は、封緘用フラップの接着剤塗布面に剥離紙を貼着する封緘用フラップ付き角底袋の製造に適用するものである。しかして、請求項４の発明は、請求項３の製造方法において、接着剤塗布−剥離紙貼着工程を不要部分カッティング工程の前にする構成としていることから、各工程を含む生産ラインを容易に且つ機能的に構築できる。
【００１６】
【発明の実施の形態】
以下、この発明の実施形態について、図面を参照して具体的に説明する。図１（イ）（ロ）は請求項１の発明及び請求項２の発明に係る製造方法の一実施形態で製造対象とする剥離紙レスタイプの封緘用フラップ付き角底袋（１０Ａ）、図２は請求項３の発明に係る製造方法の一実施形態で製造対象とする剥離紙付きタイプの封緘用フラップ付き角底袋（１０Ｂ）、図３は請求項１の発明に係る製造方法の一実施形態の連続製造ライン、図４は請求項２の発明に係る製造方法の一実施形態の連続製造ライン、図５は請求項３の発明に係る製造方法の一実施形態の連続製造ラインをそれぞれ示す。
【００１７】
剥離紙レスタイプの封緘用フラップ付き角底袋（１０Ａ）は、図１（イ）の使用時の形態で示すように、広幅の前後面部（１）（２）及び狭幅の左右側面部（３）（４）と、これら面（１）〜（４）の延長部の貼り合わせによる角底部（５）〔図１（ロ）参照〕と、開口部（１１）において前面（１）側から延出する封緘用フラップ（６）とで構成され、図示の如く封緘用フラップ（６）の折りを開いた状態での先部側（６ａ）の内面に感圧接着剤層（７）が設けられると共に、同基部側（６ｂ）の内面に剥離剤層（８）が設けられている。そして、使用前の形態では、図１（ロ）に示すように、左右側面部（３）（４）が幅方向を二つ折りにして内側へ折り込まれると共に、角底部（５）が後面（２）側に折り付けられて偏平な折畳み状態となり、また封緘用フラップ（６）が長さ方向を半折りにして先部側（６ａ）を内側へ折り付けることにより、先部側（６ａ）内面の図１（イ）に示す感圧接着剤層（７）を基部側（６ｂ）内面の剥離剤層（８）に被着させている。
【００１８】
このような封緘用フラップ付き角底袋（１０Ａ）を製造する請求項１の製造方法の一実施形態では、図２の製造ラインで示すように、巻回ロール（１２）よりシート状原紙（１３）を連続的に繰り出しつつ、まず不要部分カッティング工程（Ａ）において、封緘用フラップ（６）形成のための左右両側の不要部分（１４ａ）（１４ｂ）の切除を行うことにより、台形状の封緘用フラップ形成部（６０）を残す。なお、カッティングは、常法に準じ、不要部分（１４ａ）（１４ｂ）に対応するカット刃を有するロールカッター（図示省略）と、対向する受けロール（図示省略）との間で行えばよい。
【００１９】
続いて、チュービング工程（Ｂ）において、前工程で残した封緘用フラップ形成部（６０）にて繋がっているシート状原紙（１３）の左右両側部（１３ａ）（１３ｂ）を折曲及び貼着して袋単位（１０ａ）の偏平化した筒状部（１５）を形成する。次いで、角底形成工程（Ｃ）において、先に角底形成を終えた袋単位（１０ａ）をその封緘用フラップ形成部（６０）の先端縁で切り離し、次の袋単位（１０ａ）における筒状部（１５）の送り方向前部側の角底形成加工により角底部（５）を形成すると共に、該角底部（５）を後面部（２）側へ折り付けた状態とする。なお、チュービング工程（Ｂ）及び角底形成工程（Ｃ）には、従来より行われている角底袋の自動製袋における動作機構（図示省略）をそのまま採用すればよい。
【００２０】
前記の角底形成工程（Ｃ）を経て分離され、もって封緘用フラップ（６）及び角底部（５）を備える袋単位（１０ａ）は、そのまま前方へ送られ、接着剤塗布工程（Ｄ）において封緘用フラップ（６）の先部側（６ａ）の内面に感圧接着剤層（７）が塗布形成されると共に、剥離剤塗布工程（Ｅ）において該封緘用フラップ（６）の基部側（６ｂ）の内面に剥離剤層（７）が塗布形成され、次いで封緘用フラップ半折り工程（Ｆ）において封緘用フラップ（６）の先部側（６ａ）を内側へ折り付けることにより、先部側（６ａ）内面の感圧接着剤層（７）を基部側（６ｂ）内面の剥離剤層（８）に被着させ、製品の封緘用フラップ付き角底袋（１０Ａ）とする。
【００２１】
この実施形態の製造方法では、封緘用フラップ（６）形成のための不要部分（１４ａ）（１４ｂ）の切除をシート状原紙（１３）の段階で行うことから、そのカッティングは、１回で済む上に、原紙（１３）全体の厚みをカットする全厚カットでよく、ハーフカットの如く厚みの一定割合を切り込むためのクリアランス調整を必要としない。従って、カッティングが非常に操作容易であり、切り残しや切り込み過ぎを生じる懸念がなく、高品位の袋が歩留りよく安定的に得られ、また従来のように２段階のカッティングを行うのに比較して、設備コストを大幅に削減できると共に、工程が減って製造能率も格段に向上する。しかも、この第一実施形態の製造方法によれば、通常の角底製袋ラインに対し、この不要部分カッティング工程と、接着剤塗布工程及び剥離剤塗布工程と、封緘用フラップ半折り工程とを組み込む形で、製品である封緘用フラップ付き角底袋（１０Ａ）を、シート状原紙の送給から連続する１ラインによって一貫して短時間で製造でき、もって省力化及び設備低減と量産による製造コストの大幅な低減ならびに納期短縮を図り得る。
【００２２】
なお、上述の実施形態では剥離剤塗布工程（Ｅ）を接着剤塗布工程（Ｄ）と同時に行うように設定しているが、剥離剤層（８）は変質や他との相互作用を生じにくいため、剥離剤塗布工程（Ｅ）については、巻回ロール（１２）によるシート状原紙（１３）の繰り出しから接着剤塗布工程（Ｄ）に至るまでの任意の段階に設定してもよいし、該接着剤塗布工程（Ｄ）の後で行うようにしても差し支えない。
【００２３】
図３に示す請求項２の発明に係る製造方法は、巻回ロールにより連続的に繰り出されるシート状原紙（１３）に予め所定間隔毎に剥離剤（８）（８）が塗布されていること、これにより剥離剤塗布工程が省略されていることの２点を請求項１の発明に係る製造方法との相違点とするものである。そして、この製造方法により請求項１の発明に係る製造方法の製造対象と同一の角底袋（１０Ａ）が得られる。従って、請求項１の発明に係る製造方法との共通部分については、同一符号を付して省略する。
【００２４】
また、この製造方法によれば、請求項１に係る製造方法と同様に、カッティングが非常に操作容易であり、高品位の袋が歩留りよく安定的に得られること、製造能率が格段に向上すること、製品である封緘用フラップ付き角度袋（１０Ａ）を、シート状原紙の送給から連続する１ラインによって一貫して短時間で製造でき、もって省力化及び設備低減と量産による製造コストの大幅な低減ならびに納期短縮を図り得ること等の効果を挙げることができる。
【００２５】
剥離紙付きタイプの封緘用フラップ付き角底袋（１０Ｂ）は、図２で使用前の折畳み形態として示すように、封緘用フラップ（６）の内面側に感圧接着剤層（７）とこれを覆う剥離紙（９）が設けられているが、この封緘用フラップ（６）以外の構成は前記の剥離紙レスタイプの封緘用フラップ付き角底袋（１０Ａ）と同様である。従って、この角底袋（１０Ｂ）における角底袋（１０Ａ）との共通部分については、同一符号を附してその説明を省略する。
【００２６】
このような封緘用フラップ付き角底袋（１０Ｂ）を製造する第二実施形態では、図３の製造ラインで示すように、巻回ロール（１２）よりシート状原紙（１３）を連続的に繰り出しつつ、まず接着剤塗布−剥離紙貼着工程（Ｇ）において、最終的に封緘用フラップ（６）になる位置の内面に感圧接着剤を塗布して感圧接着剤層（７）を形成し、この感圧接着剤層（７）上に剥離紙（９）を貼着する。次いで、前記第一実施形態と同様の不要部分カッティング工程（Ａ）において、左右両側の不要部分（１４ａ）（１４ｂ）を切除して台形状の封緘用フラップ形成部（６０）を残す。
【００２７】
続いて、前記請求項１に係る発明の一実施形態と同様のチュービング工程（Ｂ）において、前工程で残した封緘用フラップ形成部（６０）にて繋がっているシート状原紙（１３）から袋単位（１０ａ）の偏平化した筒状部（１５）を形成する。次いで、前記同実施形態と同様の角底形成工程（Ｃ）において、先に角底形成を終えた袋単位（１０ａ）をその封緘用フラップ形成部（６０）の先端縁で切り離し、次の袋単位（１０ａ）における筒状部（１５）の送り方向前部側の角底形成加工により角底部（５）を形成すると共に、該角底部（５）を後面部（２）側へ折り付けた状態とする。しかして、角底形成を終えて切り離された袋単位（１０ａ）は、製品の封緘用フラップ付き角底袋（１０Ｂ）となっている。
【００２８】
この請求項３の発明に係る実施形態の製造方法では、前記の実施形態と同様に、封緘用フラップ（６）形成のための不要部分（１４ａ）（１４ｂ）の切除をシート状原紙（１３）の段階で行うことから、そのカッティングは、１回で済む上に、原紙（１３）全体の厚みをカットする全厚カットでよいから、カッティングが非常に操作容易であり、切り残しや切り込み過ぎを生じる懸念がなく、高品位の袋が歩留りよく安定的に得られ、また従来の２段階カッティングに比較して、設備コストを大幅に削減できると共に、工程が減って製造能率も格段に向上する。また、この請求項３の発明に係る実施形態の製造方法によれば、通常の角底製袋ラインに対し、この不要部分カッティング工程と接着剤塗布−剥離紙貼着工程とを組み込む形で、製品である封緘用フラップ付き角底袋（１０Ｂ）を、シート状原紙の送給から連続する１ラインによって一貫して短時間で製造でき、もって省力化及び設備低減と量産による製造コストの大幅な低減ならびに納期短縮を図り得る。
【００２９】
なお、上述の実施形態では接着剤塗布−剥離紙貼着工程（Ｇ）を連続生産ラインの最初に設定しているが、角底形成工程（Ｃ）に至るまでの任意の段階又は該角底形成工程（Ｃ）の後に設定することも可能である。ただし、この第二実施形態のように接着剤塗布−剥離紙貼着工程（Ｇ）を不要部分カッティング工程（Ａ）の前に設定すれば、各工程を含む生産ラインを容易に且つ機能的に構築できるという利点がある。また、接着剤塗布−剥離紙貼着工程（Ｇ）では、前記第二実施形態のように接着剤塗布と剥離紙（９）の貼着を順次に行う方法の他、予め剥離紙（９）の片面に感圧接着剤を塗布しておき、この接着剤付き剥離紙の貼着によって剥離紙（９）にて覆われた感圧接着剤層（７）を一挙に形成する方法も採用可能である。
【００３０】
【発明の効果】
請求項１、請求項２及び請求項３の発明によれば、請求項１及び請求項２では剥離紙レスタイプの封緘用フラップ付き角底袋を製造対象として、また請求項３では剥離紙付きタイプの封緘用フラップ付き角底袋を製造対象として、いずれの場合も、封緘用フラップ形成に不要となる部分を１回のカッティングで切除でき、従来の２段階カッティングに比較して、設備コストを大幅に削減できると共に、工程が減って製造能率も格段に向上することに加え、該カッティングが全厚カットであるため、操作容易で切り残しや切り込み過ぎを生じる懸念がなく、高品位の袋が歩留りよく安定的に得られ、しかも製品の封緘用フラップ付き角底袋をシート状原紙の送給から連続する１ラインによって一貫して短時間で製造でき、もって省力化及び設備低減と量産による製造コストの大幅な低減ならびに納期短縮を図り得る製造方法が提供される。
【００３１】
請求項４の発明によれば、剥離紙付きタイプの封緘用フラップ付き角底袋を製造対象とする場合に、各工程を含む連続製造ラインを容易に且つ機能的に構築できるという利点がある。
【図面の簡単な説明】
【図１】この発明の請求項１及び請求項２の一実施形態で製造対象とする剥離紙レスタイプの封緘用フラップ付き角底袋を示し、（イ）図は使用時の袋を拡げた形態の斜視図、（ロ）図は使用前の折畳み形態の斜視図である。
【図２】請求項３の発明に係る一実施形態で製造対象とする剥離紙付きタイプの封緘用フラップ付き角底袋の折畳み形態を示す斜視図である。
【図３】請求項１の発明に係る封緘用フラップ付き角底袋の製造方法における第一実施形態の連続製造ラインを示す平面図である。
【図４】請求項２の発明に係る一実施形態の連続製造ラインを示す平面図である。
【図５】請求項３の発明に一実施形態の連続生産ラインを示す平面図である。
【符号の説明】
Ａ    ・・・不要部分カッティング工程
Ｂ    ・・・チュービング工程
Ｃ    ・・・角底形成工程
Ｄ    ・・・接着剤塗布工程
Ｅ    ・・・剥離剤塗布工程
Ｆ    ・・・封緘用フラップ半折り工程
Ｇ    ・・・接着剤塗布−剥離紙貼着工程
１    ・・・前面部
２    ・・・後面部
３    ・・・左側面部
４    ・・・右側面部
５    ・・・角底部
６    ・・・封緘用フラップ
６ａ  ・・・先部側
６ｂ  ・・・基部側
７    ・・・感圧接着剤層（接着剤塗布面）
８    ・・・剥離剤層（剥離剤塗布面）
９    ・・・剥離紙
１０Ａ・・・剥離紙レスタイプの封緘用フラップ付き角底袋
１０Ｂ・・・剥離紙付きタイプの封緘用フラップ付き角底袋
１０ａ・・・袋単位
１１  ・・・開口部
１２  ・・・巻回ロール
１３  ・・・シート状原紙
１４ａ・・・不要部分
１４ｂ・・・不要部分
１５  ・・・筒状部
６０  ・・・封緘用フラップ形成部
【図１】
2005001730.tif 000003
【図２】
2005001730.tif 000004
【図３】
2005001730.tif 000005
【図４】
2005001730.tif 000006
【図５】
2005001730.tif 000007